(57)【要約】【課題】排水配管の設置施工および排水配管の設置後の保守管理が極めて容易なユニットバスの排水配管構造を提供する。【解決手段】ユニットバスの排水配管構造は、底部に排水口（１６）が設けられた浴槽（１）と、当該浴槽に隣接して配置され且つ浴槽側に臨む縁部近傍に排水口（２６）が設けられた洗い場（２）と、浴槽（１）と洗い場（２）の境界部分に立ち上げられ且つ開閉可能な点検口が設けられたエプロン（４）とを備えたユニットバスに適用される排水配管構造であり、前記の境界部分に沿って伸長された浴槽排水管と、前記の境界部分に沿って伸長された洗い場排水管と、これら浴槽排水管および洗い場排水管に特定構造の略Ｙ字状のＹ継手（６３）を介して連結された共通排水管（６４）とを含み、そして、前記の浴槽排水管と洗い場排水管とは互いに平行に且つ隣接して配置される。【選択図】        図１
2004353282.tif 000002
【特許請求の範囲】
【請求項１】
底部に排水口（１６）が設けられた浴槽（１）と、当該浴槽に隣接して配置され且つ浴槽側に臨む縁部近傍に排水口（２６）が設けられた洗い場（２）と、浴槽（１）と洗い場（２）の境界部分に立ち上げられ且つ開閉可能な点検口（４ｃ）が設けられたエプロン（４）とを備えたユニットバスにおける排水配管構造であって、浴槽（１）の排水口（１６）に接続され且つ前記境界部分に沿って伸長された浴槽排水管（６２ａ）と、洗い場（２）の排水口（２６）に接続され且つ前記境界部分に沿って伸長された洗い場排水管（６２ｂ）と、浴槽排水管（６２ａ）及び洗い場排水管（６２ｂ）の排水を一括して躯体側排水管へ移送する共通排水管（６４）と、浴槽排水管（６２ａ）及び洗い場排水管（６２ｂ）と共通排水管（６４）とを連結する略Ｙ字状のＹ継手（６３）とを含み、当該Ｙ継手は、浴槽排水管（６２ａ）を接続する第１の接続口および洗い場排水管（６２ｂ）を接続する第２接続口が同一方向に向けられ、かつ、共通排水管（６４）を接続する第３の接続口が前記第１の接続口および前記第２接続口と反対の方向に向けられた構造になされていることにより、浴槽排水管（６２ａ）と洗い場排水管（６２ｂ）とは、互いに平行に且つ隣接して配置されていることをことを特徴とするユニットバスの排水配管構造。
【請求項２】
浴槽排水管（６２ａ）はエルボ継手（６１ａ）を介して浴槽（１）の排水口（１６）に接続され、洗い場排水管（６２ｂ）はエルボ継手（６１ｂ）を介して洗い場（２）の排水口（２６）に接続されている請求項１に記載の排水配管構造。
【請求項３】
浴槽排水管（６２ａ）と洗い場排水管（６２ｂ）との離間距離が８〜２０ｍｍである請求項１又は２に記載の排水配管構造。
【発明の詳細な説明】
【０００１】
【発明の属する技術分野】
本発明は、ユニットバスの排水配管構造に関するものであり、詳しくは、ユニットバスに適用される排水配管構造であって、排水配管の設置施工および設置後の保守管理が極めて容易なユニットバスの排水配管構造に関するものである。
【０００２】
【従来の技術】
周知の通り、ユニットバスは、主要な部材がＦＲＰ等で一体成形された耐久性、防水性に富む浴室であり、浴槽に隣接して洗い場が設けられ且つ浴槽の前面を覆うエプロンが浴槽と洗い場の境界部分に立ち上げられた構造を有する。斯かるユニットバスにおいて、浴槽および洗い場の水を排水する排水配管構造としては、例えば、洗い場の排水口（排水トラップ）に接続され且つ浴槽と洗い場の境界部分に略沿って伸長された浴槽排水管と、浴槽の排水口（排水トラップ）に接続され且つ前記の浴槽排水管の先端側に向けて伸長された洗い場排水管とを備え、かつ、浴槽排水管および洗い場排水管が４５度Ｙ継手を介して共通排水管に接続され、当該共通排水管によって排水を躯体側排水管へ流す様にした構造が知られている（特許文献１参照）。
【０００３】
【特許文献１】
特開２００２−１２９６１８号公報（図１）
【０００４】
【発明が解決しようとする課題】
ところで、上記の様なユニットバスにおいては、各排水管を施工したり、修理を行う場合、通常、エプロンを取り外した状態で浴槽と洗い場の境界部分から行うが、上記の排水配管構造においては、洗い場の排水口が前記の境界部分から離れており、洗い場排水管の基端部分（上流側部分）が洗い場の略中央部に位置しているため、最初の設置施工が難しく、また、実際、洗い場の排水口近傍の洗い場排水管に対する設置後の修理が殆ど困難である。更に、上記の様な４５度Ｙ継手によって浴槽排水管と洗い場排水管とが共通排水管に接続されているため、浴槽排水管と洗い場排水管との離間距離が大きく、浴槽排水管および／または洗い場排水管が前記の境界部分から手の届かない位置にあり、これら排水配管に対する修理も難しいと言う状況にある。
【０００５】
本発明は、上記の実情に鑑みてなされたものであり、その目的は、ユニットバスに適用される排水配管構造であって、排水配管の設置施工および排水配管の設置後の保守管理が極めて容易なユニットバスの排水配管構造を提供することにある。
【０００６】
【課題を解決するための手段】
本発明は、上記の課題を解決するため、洗い場として、浴槽側に臨む縁部近傍に排水口が設けられた洗い場を採用し、かつ、浴槽と洗い場の境界部分に配置するエプロンとして、点検口が設けられたエプロンを採用した。そして、排水配管を構成する浴槽排水管と洗い場排水管とを下流側で結合するにあたり、結合用継手として特定の構造のＹ継手を使用することにより、上記の境界部分において浴槽排水管および洗い場排水管を隣接した状態に配置した。
【０００７】
すなわち、本発明の要旨は、底部に排水口が設けられた浴槽と、当該浴槽に隣接して配置され且つ浴槽側に臨む縁部近傍に排水口が設けられた洗い場と、前記浴槽と前記洗い場の境界部分に立ち上げられ且つ開閉可能な点検口が設けられたエプロンとを備えたユニットバスにおける排水配管構造であって、前記浴槽の排水口に接続され且つ前記境界部分に沿って伸長された浴槽排水管と、前記洗い場の排水口に接続され且つ前記境界部分に沿って伸長された洗い場排水管と、前記浴槽排水管および前記洗い場排水管の排水を一括して躯体側排水管へ移送する共通排水管と、前記浴槽排水管および前記洗い場排水管と前記共通排水管とを連結する略Ｙ字状のＹ継手とを含み、当該Ｙ継手は、前記浴槽排水管を接続する第１の接続口および前記洗い場排水管を接続する第２接続口が同一方向に向けられ、かつ、前記共通排水管を接続する第３の接続口が前記第１の接続口および前記第２接続口と反対の方向に向けられた構造になされていることにより、前記浴槽排水管と前記洗い場排水管とは、互いに平行に且つ隣接して配置されていることをことを特徴とするユニットバスの排水配管構造に存する。
【０００８】
【発明の実施の形態】
本発明に係るユニットバスの排水配管構造の一実施形態を図面に基づいて説明する。図１は、本発明に係るユニットバスの排水配管構造を一部破断して示す平面図である。図２は、本発明に係るユニットバスの排水配管構造における排水配管の構成例を示す平面図である。図３は、ユニットバスにおける浴槽、洗い場およびエプロンの配置を示す側面図である。なお、以下の実施形態の説明においては、ユニットバスの排水配管構造を「排水配管構造」と略記する。
【０００９】
本発明の排水配管構造は、ユニットバスに適用される排水配管構造であり、排水配管の設置施工および排水配管の保守管理が一層容易な構造である。ユニットバスは、外観的な構造は従来のものと略同様であり、図１及び図４に示す様に、浴槽（１）に隣接して洗い場（２）が配置され且つ浴槽（１）と洗い場（２）の境界部分にエプロン（４）が立ち上げられた構造を備えている。浴槽（１）、洗い場（２）及びエプロン（４）は、通常、耐熱性樹脂を使用したシートモールドコンパウンド、レジントランスファーモールディング、ハンドレイアップ等のＦＲＰ成形法によって成形される。
【００１０】
図に例示したユニットバスは、外郭の平面形状を略長方形に形成されたデッキ（５）がエプロン（４）と一体に設けられ、浴槽（１）がデッキ（５）の開口部分に嵌込まれた構造のユニットバスである。浴槽（１）は、意匠性を高め且つ触れた際に良好な感触を得るために曲面によって形成され、浴槽（１）の底部には、当該浴槽の水を排出するための排水口（１６）が設けられる。排水口（１６）は、後述の浴槽排水管（６２ａ）までの接続距離を短くするため、洗い場（２）側に偏らせて配置されているのが好ましい。洗い場は、その平面形状を略長方形に形成され、浴槽（１）側に臨む縁部近傍に排水口（２６）が設けられる。そして、エプロン（４）は、洗い場（２）の上記の縁部から浴槽（１）の前面に亙って立ち上げられ、その略中央には、着脱可能な蓋（図示省略）が付設されて開閉可能になされた点検口（４ｃ）が設けられる。
【００１１】
本発明の排水配管構造は、浴槽（１）及び洗い場（２）の下方に配置されてこれらの水を排水する図１に示す様な特定の排水配管（６）によって構成される。すなわち、排水配管（６）は、図２（ａ）に示す様に、浴槽（１）の排水口（１６）に接続され且つ上記の境界部分に沿って伸長された浴槽排水管（６２ａ）と、洗い場（２）の排水口（２６）に接続され且つ上記の境界部分に沿って伸長された洗い場排水管（６２ｂ）と、浴槽排水管（６２ａ）及び洗い場排水管（６２ｂ）の排水を一括して躯体側排水管（図示省略）へ移送する共通排水管（６４）と、浴槽排水管（６２ａ）及び洗い場排水管（６２ｂ）と共通排水管（６４）とを連結する略Ｙ字状のＹ継手（６３）とから主に構成される。
【００１２】
具体的には、浴槽（１）の排水口（１６）には、浴槽（１）と洗い場（２）の境界部分側からエルボ継手（６１ａ）が取り付けられ、上記の浴槽排水管（６２ａ）は、エルボ継手（６１ａ）を介して浴槽（１）の排水口（１６）に接続される。また、洗い場（２）の排水口（２６）には、浴槽（１）と洗い場（２）の境界部分側からエルボ継手（６１ｂ）が取り付けられ、上記の洗い場排水管（６２ｂ）は、エルボ継手（６１ｂ）を介して洗い場（２）の排水口（２６）に接続される。そして、浴槽排水管（６２ａ）及び洗い場排水管（６２ｂ）の各下流側端部はＹ継手（６３）の入口に繋ぎ込まれ、Ｙ継手（６３）の出口には共通排水管（６４）の上流側端部が繋ぎ込まれる。
【００１３】
浴槽排水管（６２ａ）、洗い場排水管（６２ｂ）、共通排水管（６４）及びＹ継手（６３）は、通常、ＡＢＳ、塩化ビニル等の樹脂によって構成される。一般的には、浴槽排水管（６２ａ）の直径は３１〜３８ｍｍ程度、洗い場排水管（６２ｂ）の直径は５１〜６０ｍｍ程度、共通排水管（６４）の直径は５１〜６０ｍｍ程度である。なお、本発明において、浴槽（１）と洗い場（２）の境界部分に沿った範囲とは、平面視した場合に浴槽（１）と洗い場（２）の境界からの離間距離が８０ｃｍ以内の範囲を言う。
【００１４】
本発明の排水配管構造においては、上記の浴槽排水管（６２ａ）と洗い場排水管（６２ｂ）とを出来る限り近接させて配置するため、特定の構造の略Ｙ字状のＹ継手（６３）が使用される。本発明において、Ｙ継手（６３）は、浴槽排水管（６２ａ）を接続する第１の接続口および洗い場排水管（６２ｂ）を接続する第２接続口が同一方向に向けられ、かつ、共通排水管（６４）を接続する第３の接続口が前記第１の接続口および前記第２接続口と反対の方向に向けられた構造を備えている。すなわち、Ｙ継手（６３）は、その上流側の接続口である第１の接続口および第２接続口の中心線が平行となる様に設計されている。
【００１５】
上記の様な構造のＹ継手（６３）を使用することにより、浴槽排水管（６２ａ）と洗い場排水管（６２ｂ）とは、互いに平行に且つ隣接して配置される。換言すれば、浴槽排水管（６２ａ）と洗い場排水管（６２ｂ）とは接近した状態に配置される。上記のＹ継手（６３）の寸法仕様は、任意に設計できるが、上記の様な仕様の浴槽排水管（６２ａ）、洗い場排水管（６２ｂ）及び共通排水管（６４）に適用する場合、第１の接続口と第２接続口の各中心線間の距離は５０〜７０ｍｍ程度である。そして、本発明においては、施工性を高め、保守管理を容易にするため、上記のＹ継手（６３）を使用することにより、浴槽排水管（６２ａ）と洗い場排水管（６２ｂ）との離間距離（隙間）が８〜２０ｍｍとなる様に設定される。
【００１６】
ところで、浴槽排水管（６２ａ）と洗い場排水管（６２ｂ）とを別個に設けて下流側で共通排水管（６４）に集約する理由は次の通りである。すなわち、仮に、浴槽排水口（１６）と洗い場排水口（２６）とを直線状の連絡管によって直結し、斯かる連絡管の途中からチーズ継手を介して１つの共通排水管を分岐した様な配管構造においては、配管抵抗の関係から、浴槽排水口（１６）から洗い場排水口（２６）へ、または、その逆方向へ水が逆流する。
【００１７】
本発明においては、浴槽排水口（１６）と洗い場排水口（２６）の間での逆流を防止するため、浴槽排水口（１６）と洗い場排水口（２６）のそれぞれに浴槽排水管（６２ａ）及び洗い場排水管（６２ｂ）を接続し、そして、施工および保守管理を容易にするため、浴槽排水管（６２ａ）及び洗い場排水管（６２ｂ）の下流側を共通排水管（６４）に連結するにあたり、上記の様な特定のＹ継手（６３）を使用し、浴槽排水管（６２ａ）と洗い場排水管（６２ｂ）とを近接させている。
【００１８】
本発明の排水配管構造は、上記の様に、洗い場として、浴槽側に臨む縁部近傍に排水口（２６）が設けられた洗い場（２）が採用され、かつ、浴槽（１）と洗い場（２）の境界部分に配置するエプロンとして、点検口（４ｃ）が設けられたエプロン（４）が採用されると共に、浴槽排水管（６２ａ）及び洗い場排水管（６２ｂ）とこれらの下流側の共通配管（６４）とが特定の構造のＹ継手（６３）によって連結されており、浴槽排水管（６２ａ）と洗い場排水管（６２ｂ）とが上記の境界部分において互いに平行に且つ隣接して配置されるため、浴槽排水管（６２ａ）、洗い場排水管（６２ｂ）、Ｙ継手（６３）及び共通排水管（６４）等の排水配管（６）の設置施工ならびに排水配管（６）の設置後の保守管理が極めて容易である。
【００１９】
すなわち、本発明の排水配管構造においては、排水配管（６）を構成するエルボ継手（６１ａ）、（６２ｂ）、浴槽排水管（６２ａ）、洗い場排水管（６２ｂ）、Ｙ継手（６３）及び共通配管（６４）の全てが浴槽（１）と洗い場（２）の境界部分に沿って配置されるため、排水配管（６）を施工する場合は、浴槽（１）、洗い場（２）及びエプロン（４）を設置後にエプロン（４）の点検口（４ｃ）を通じて簡単に施工でき、また、設置後に排水配管（６）の修理を行う場合は、エプロン（４）の点検口（４ｃ）を通じて簡単に修理することが出来る。
【００２０】
なお、本発明の排水配管構造において、排水配管（６）は、図１及び図２（ａ）に示す様に、浴槽（１）と洗い場（２）の境界部分に沿って且つ浴室の一壁面側に向けて伸長されていてもよいが、図２（ｂ）に示す様に、浴槽（１）と洗い場（２）の境界部分に沿って且つ浴室の相対向する二壁面側に向けて、すなわち、相反する二方向に向けて伸長されていてもよい。
【００２１】
浴室の二壁面側に向けて二方向へ排水する場合は、上記のエルボ継手（６１ａ）及び（６１ｂ）に代え、浴槽排水口（１６）と洗い場排水口（２６）にそれぞれチーズ継手（６５ａ）及び（６５ｂ）が取り付けられ、チーズ継手（６５ａ）及び（６５ｂ）から上記の浴槽排水管（６２ａ）、洗い場排水管（６２ｂ）及び共通配管（６４）が一方の壁面側へ向けて伸長され、かつ、チーズ継手（６５ａ）及び（６５ｂ）から第２の浴槽排水管（６７ａ）、洗い場排水管（６７ｂ）及び共通配管（６６）が他方の壁面側へ向けて伸長される。
【００２２】
そして、上記の様に二方向へ排水する場合も、第２の浴槽排水管（６７ａ）及び洗い場排水管（６７ｂ）と第２の共通配管（６６）との間には、上記のＹ継手（６３）が介装され、第２の浴槽排水管（６７ａ）と洗い場排水管（６７ｂ）とが上記の境界部分において互いに平行に且つ隣接して配置される。これにより、第２の浴槽排水管（６７ａ）、洗い場排水管（６７ｂ）及び共通配管（６６）についても、容易に設置施工することが出来かつ容易に修理することが出来る。
【００２３】
【発明の効果】
本発明に係るユニットバスの排水配管構造によれば、浴槽側に臨む縁部近傍に排水口が設けられた洗い場が採用され、かつ、点検口が設けられたエプロンが採用されると共に、浴槽排水管および洗い場排水管と下流側の共通配管とが特定の構造のＹ継手によって連結されており、浴槽排水管と洗い場排水管とが浴槽と洗い場の境界部分において互いに平行に且つ隣接して配置されるため、浴槽排水管、洗い場排水管、Ｙ継手および共通排水管等を設置施工する場合はエプロンの点検口を通じて簡単に施工でき、また、設置後に修理を行う場合はエプロンの点検口を通じて簡単に修理することが出来る。
【図面の簡単な説明】
【図１】本発明に係るユニットバスの排水配管構造を一部破断して示す平面図である。
【図２】本発明に係るユニットバスの排水配管構造における排水配管の構成例を示す平面図である。
【図３】ユニットバスにおける浴槽、洗い場およびエプロンの配置を示す側面図である。
【符号の説明】
１    ：浴槽
１６  ：排水口
２    ：洗い場
４    ：エプロン
４ｃ  ：点検口
６    ：排水配管
６１ａ：エルボ継手
６１ｂ：エルボ継手
６２ａ：浴槽排水管
６２ｂ：洗い場排水管
６３  ：Ｙ継手
６４  ：共通排水管
６５ａ：チーズ継手
６５ｂ：チーズ継手
６６  ：第２の共通配管
６７ａ：第２の浴槽排水管
６７ｂ：第２の洗い場排水管
【図１】
2004353282.tif 000003
【図２】
2004353282.tif 000004
【図３】
2004353282.tif 000005